(57)【要約】【課題】本発明は光を照射する光硬化樹脂が塗布された照射位置のみに光を照射することを目的とする樹脂硬化装置を得る。【解決手段】本発明の樹脂硬化装置１は、光源８と、爪に塗布された光硬化樹脂の少なくとも一部の領域を対象領域として特定する対象領域特定手段３と、光源からの光を選択的に反射するデジタルミラーデバイス１８であって、対象領域特定手段３から入力される対象領域の情報に基づき、光源からの光を対象領域に導光するデジタルミラーデバイス１８とを備えることを特徴とするという構成を有する。【選択図】図１
2014008359.tif 000002
【特許請求の範囲】
【請求項１】
爪に塗布された光硬化樹脂を硬化させる樹脂硬化装置であって、
光源と、爪に塗布された光硬化樹脂の少なくとも一部の領域を対象領域として特定する対象領域特定手段と、対象領域特定手段から入力される対象領域の情報に基づき、光源からの光を選択的に反射して対象領域に導光するデジタルミラーデバイスとを備えることを特徴とする樹脂硬化装置。
【請求項２】
前記対象領域特定手段は、撮像カメラと、該撮像カメラが撮像した画像に基づき、対象領域を特定する画像処理手段とを備えることを特徴とする請求項１に記載の樹脂硬化装置。
【請求項３】
前記画像処理手段は、爪の輪郭線を検出し、該輪郭線を基準に予め記憶された爪の形状を重ね合わせた領域を対象領域として特定することを特徴とする請求項２に記載の樹脂硬化装置。
【請求項４】
前記画像処理手段は、撮像カメラが撮像した画像を、デジタルミラーデバイスにおける１又は１群のマイクロミラーに対応した単位で分割し、各単位の色相、彩度及び明度の少なくとも１つに基づき、対象領域に該当するか否かを判別し、対象領域を特定することを特徴とする請求項２に記載の樹脂硬化装置。
【請求項５】
手、足又はそれらの指が載置されて光を受ける載置部を備え、前記画像処理手段は、撮像カメラが撮像した画像に基づき載置部の色及び皮膚の色を有する部分以外の部分を特定し、この特定された部分を対象領域として特定することを特徴とする請求項２に記載の樹脂硬化装置。
【請求項６】
前記画像処理手段は、撮像カメラが撮像した画像を表示する画面を有する画像表示手段であって、画面上に表示された画像の位置を指定することにより対象領域を特定する画像表示手段を備えることを特徴とする請求項２に記載の樹脂硬化装置。
【請求項７】
前記対象領域特定手段は、リアルタイムに又は特定のタイミングごとに特定した対象領域の情報を更新することを特徴とする請求項１乃至請求項６のいずれか１項に記載の樹脂硬化装置。
【発明の詳細な説明】
【技術分野】
【０００１】
本発明は、手や足の爪に塗布される光硬化樹脂に光を照射することで該光硬化樹脂を硬化させる樹脂硬化装置に関する。
【背景技術】
【０００２】
従来より、手や足の爪を装飾するために、ネイルチップやスカルプチュアなどの付け爪を自爪に貼り付けることが一般的に行われている。この付け爪には、ウレタンアクリル樹脂などを主成分とするジェルを利用して人工爪を形成するジェルネイルがある。ジェルは、光硬化樹脂の一種であり、特定の紫外線領域の光が照射されると硬化して人工爪となる。
【０００３】
このため、ジェルネイルでは、ジェルを硬化させるために、紫外線領域の光を照射する樹脂硬化装置が必要となる（例えば、特許文献１や特許文献２など）。一般的に、この樹脂硬化装置は、水銀ランプや蛍光ランプなどのＵＶランプや、紫外線発光ダイオード（以下、単に「ＵＶ−ＬＥＤ」と略する）などを光源としている。
【０００４】
また、一般的に光硬化樹脂を硬化させるのに使用される他の光源としては、特許文献３に記載されているようなキセノンフラッシュランプ（以下、単に「Ｘｅランプ」と略する）などもある。このＸｅランプは、ジェルなどの光硬化樹脂を硬化することだけを目的とした光源ではなく、一般的な光硬化樹脂を硬化させる光源である。このＸｅランプは、人体に影響を与える可能性のある紫外線領域の波長を遮断して、感光波長のみの光を照射できるよう構成されている。そのため、このＸｅランプを備えた樹脂硬化装置は、照射光によって人体に影響を与えるものではない。
【先行技術文献】
【特許文献】
【０００５】
【特許文献１】登録実用新案第３１５１６９８号公報
【特許文献２】特開２０１１−  ９８０７３号公報
【特許文献３】特開２０１１−  ７６８２５号公報
【発明の概要】
【発明が解決しようとする課題】
【０００６】
しかし、使用者の中には、照射光を人体に受けることに漠然とした不安感を抱いている人がいる。そのため、光が照射される対象領域を光の照射が必要な光硬化樹脂に限定し、人体に光が直接照射されないようにすれば、使用者は、このような不安感を抱くことなく、安心して樹脂硬化装置を使用することができるようになる。
【０００７】
本発明は、かかる事情に鑑み、光が照射される対象領域を爪に塗布された光硬化樹脂の少なくとも一部の領域のみに特定することができる樹脂硬化装置を提供することを目的とする。
【課題を解決するための手段】
【０００８】
本発明の樹脂硬化装置は、爪に塗布された光硬化樹脂を硬化させる樹脂硬化装置であって、光源と、爪に塗布された光硬化樹脂の少なくとも一部の領域を対象領域として特定する対象領域特定手段と、対象領域特定手段から入力される対象領域の情報に基づき、光源からの光を選択的に反射して対象領域に導光するデジタルミラーデバイスとを備えるという構成を有している。
【０００９】
かかる構成によれば、光源から発光された光は、デジタルミラーデバイスによって対象領域特定手段で特定された対象領域にのみに導光されるように選択して被照射体に反射されるため、対象領域のみに光が照射され、光硬化樹脂以外の領域（例えば、人体など）に光が照射されることはない。
【００１０】
また、請求項２記載の発明において、対象領域特定手段は、撮像カメラと、該撮像カメラが撮像した画像に基づき、対象領域を特定する画像処理手段とを備えることが好ましい。
【００１１】
かかる構成によれば、対象領域特定手段は、撮像カメラが撮像した画像に含まれる情報に基づき対象領域を特定できるようになる。
【００１２】
また、請求項３記載の発明において、画像処理手段は、爪の輪郭線を検出し、該輪郭線を基準に予め記憶された爪の形状を重ね合わせた領域を対象領域として特定することが好ましい。
【００１３】
かかる構成によれば、画像処理手段は、爪の輪郭線を検出することで、対象領域を特定できるようになる。
【００１４】
また、請求項４記載の発明において、画像処理手段は、撮像カメラが撮像した画像を、デジタルミラーデバイスにおける１又は１群のマイクロミラーに対応した単位で分割し、各単位の色相、彩度及び明度の少なくとも１つに基づき、対象領域に該当するか否かを判別し、対象領域を特定することが好ましい。
【００１５】
かかる構成によれば、画像処理手段は、画像の色相、彩度及び明度から対象領域を特定できるようになる。しかも、画像処理手段は、その対象領域の特定を、１又は１群のマイクロミラーに対応して分割された単位ごとに対象領域であるか否かを判別することにより、デジタルミラーデバイスは、１又は１群のマイクロミラーごとに反射する光を選択して被照射体に照射できるようになる。
【００１６】
また、請求項５記載の発明において、手、足又はそれらの指が載置されて光を受ける載置部を備え、画像処理手段は、撮像カメラが撮像した画像に基づき載置部の色及び皮膚の色を有する部分以外の部分を特定し、この特定された部分を対象領域として特定することが好ましい。
【００１７】
かかる構成によれば、画像処理手段は、撮像カメラが撮像した画像から載置部及び皮膚の部分を特定し、載置部及び皮膚以外の部分を手、足又はそれらの指における光硬化樹脂が塗布された対象領域として特定できるようになる。
【００１８】
また、請求項６記載の発明において、画像処理手段は、撮像カメラが撮像した画像を表示する画面を有する画像表示手段であって、画面上に表示された画像の位置を指定することにより対象領域を特定する画像表示手段を備えることが好ましい。
【００１９】
かかる構成によれば、使用者は、撮像カメラが撮像した画像から対象領域を容易に指定することができ、画像処理手段に対象領域を特定させることができる。
【００２０】
また、請求項７記載の発明において、対象領域特定手段は、リアルタイムに又は特定のタイミングごとに特定した対象領域の情報を更新することが好ましい。
【００２１】
かかる構成によれば、光を照射している間に対象領域が移動しても、対象領域特定手段は、その移動に追随して対象領域を特定しなおすことができるようなる。
【発明の効果】
【００２２】
本発明の樹脂硬化装置によれば、光が照射される対象領域を爪に塗布された光硬化樹脂の少なくとも一部の領域のみに特定することができる。
【図面の簡単な説明】
【００２３】
【図１】本発明の一実施形態に係る樹脂硬化装置の断面図
【図２】本発明の樹脂硬化装置が光を照射する爪の形状を示す図
【図３】（ａ）は本発明の樹脂硬化装置が記憶する爪の形状の例を示す図、（ｂ）は本発明の樹脂硬化装置が記憶する爪の形状の例を示す図、（ｃ）は本発明の樹脂硬化装置が記憶する爪の形状の例を示す図、（ｄ）は本発明の樹脂硬化装置が記憶する爪の形状の例を示す図
【図４】（ａ）は本発明の一実施形態に係る樹脂硬化装置のデジタルミラーデバイスの配置を示す平面配置図、（ｂ）は本発明の一実施形態に係る樹脂硬化装置のデジタルミラーデバイスの配置を示す断面配置図
【図５】本発明の他の実施形態に係る樹脂硬化装置のデジタルミラーデバイスの外観図
【発明を実施するための形態】
【００２４】
本発明の一実施形態に係る樹脂硬化装置について、図１〜図４を参酌しつつ、説明する。同実施形態に係る樹脂硬化装置１は、図１に示すように、爪Ｎに塗布されたジェルなどの光硬化樹脂を硬化させるために発光する発光部２と、光硬化樹脂が塗布されて光が照射される爪Ｎの対象領域を特定する対象領域特定手段３と、発光部２からの光を爪Ｎの対象領域に導光する導光手段４と、光硬化樹脂を硬化させるために発光する光を制御する発光制御部５と、該発光制御部５を操作するための操作部６と、これらを収納する筐体７とを備える。
【００２５】
発光部２は、硬化する光の波長が異なる複数種類の光硬化樹脂に対応するために、複数種類の光硬化樹脂が硬化する各波長を包含する波長領域の光を少なくとも照射する光源であるフラッシュランプ８と、フラッシュランプ８が発光した光を反射する反射部材９と、フラッシュランプ８が発光した光から特定の領域の光を選択可能な光選択手段１０とを備える。
【００２６】
フラッシュランプ８は、紫外線から赤外線まで幅広い波長の光を照射するキセノン放電管である。紫外線は、波長によって３つの領域に分けられている。第１の領域は、３２０ｎｍ（又は３１５ｎｍ）以上４００ｎｍ以下の紫外線領域である（ＵＶ−Ａ；Ａ領域紫外線）。第２の領域は、２８０ｎｍ以上３２０ｎｍ（又は３１５ｎｍ）以下の紫外線領域である（ＵＶ−Ｂ；Ｂ領域紫外線）。第３の領域は、１００ｎｍ以上２８０ｎｍ以下の紫外線領域である（ＵＶ−Ｃ；Ｃ領域紫外線）。紫外線は、波長が短くなるにつれて人体に対する傷害性が強くなるため、人体に照射するのに、ＵＶ−ＢやＵＶ−ＣよりもＵＶ−Ａの方が好ましい。フラッシュランプ８は、この紫外線領域のうち、ＵＶ−ＡとＵＶ−Ｂの波長を包含する光を放射する。
【００２７】
反射部材９は、長尺状のフラッシュランプ８の長尺方向に沿って半円筒状に形成され、内周面で光を反射する。反射部材９は、フラッシュランプ８を内側に配置して、長尺方向に沿って開口した開口部から光が照射されるように構成されている。
【００２８】
光選択手段１０は、反射部材９の開口部を覆うように配置される。光選択手段１０は、フラッシュランプ８が照射した光のうち、赤外線領域及びＵＶ−Ｂの光を遮断し、ＵＶ−Ａ及び可視光領域の光を選択して透過するＵＶ−Ａ選択手段及び可視光選択手段として機能する。具体的には、光選択手段１０は、ＵＶ−Ｂの光を遮断するＵＶ−Ｂカットフィルタと、赤外線領域の光を遮断する赤外線カットフィルタとにより、赤外線領域及びＵＶ−Ｂの光を遮断し、ＵＶ−Ａ及び可視光領域の光を選択して透過する。
【００２９】
対象領域特定手段３は、被照射体を撮像する撮像カメラ１１と、該撮像カメラ１１が撮像した画像に基づき、爪Ｎの対象領域を特定する画像処理手段１２と、撮像カメラ１１が撮像した画像を表示する画面を有し、画面上に表示された画像の位置を指定することにより爪Ｎの対象領域を特定する画像表示手段１３と、撮像カメラ１１が爪Ｎを撮像できるように爪Ｎに照射するＬＥＤなどの画像撮像用光源１４とを備える。対象領域特定手段３は、リアルタイムに又は特定のタイミングごとに特定した爪Ｎの対象領域を更新する。
【００３０】
撮像カメラ１１は、画像処理手段１２に爪Ｎの対象領域を特定させるために爪Ｎを含む指Ｆの先端部を撮像し、撮像した画像に関する信号を画像処理手段１２に送信する。なお、撮像カメラ１１は、５本の指Ｆの先端部を一度に撮像するカメラに限定されず、指Ｆごとに複数回に分けて撮像するカメラであってもよい。また、特定した爪Ｎの対象領域をリアルタイム又は特定のタイミングごとに更新する場合、静止画を撮像するカメラに限定されず、動画として撮像するビデオカメラであってもよい。
【００３１】
画像処理手段１２は、爪Ｎの輪郭線を検出して、該輪郭線を基準に予め記憶された爪の形状を重ね合わせた領域を爪Ｎの対象領域と特定する第１の特定モードを備える。検出する輪郭線は、図２に示すように、皮膚から露出して識別可能な爪（爪甲）の全周であってもよい。つまり、指先の皮膚と、爪Ｎの生え際Ｎ１、爪Ｎの側部Ｎ２及び爪Ｎの先端Ｎ３により形成される境界線を輪郭線とみなす。特に、爪Ｎの生え際Ｎ１は、皮膚の色と月半月の色（一般的に乳白色）との色差により、その境界線は、特定しやすくなっている。なお、指Ｆの先端側の皮膚が爪Ｎで覆われているようなときは、爪Ｎの先端側Ｎ３を除く、爪Ｎの生え際Ｎ１及び爪Ｎの側部Ｎ２からなる境界線を輪郭線とみなすこともできる。爪Ｎと皮膚との境界は、その光沢差、色差（爪Ｎの色と皮膚の色との違い）などから特定する。画像処理手段１２に予め記憶されている爪Ｎの形状には、具体的には、図３（ａ）〜（ｄ）に示すような個人差を考慮して、爪の生え際Ｎ１からその先までの長さ、両側部Ｎ２間の長さ（爪の幅）、生え際Ｎ１又は爪の先の形状が異なる複数種類の形状のものがある。しかし、爪Ｎの形状は、個人差があるため、必ずしも予め記憶されている形状に限定されず、特定された爪Ｎの輪郭線を爪Ｎの形状として特定してもよい。
【００３２】
画像処理手段１２は、撮像カメラ１１が撮像した画像を、画像の色相、彩度及び明度の少なくとも１つに基づき爪Ｎの対象領域に該当するか否かを判別することにより、爪Ｎの対象領域を特定する第２の特定モードを備える。爪Ｎは、皮膚に対して光沢があり、ジェルを塗布することにより更に光沢が増すことから、この対象領域の特定に適する。
第２の特定モードは、具体的には、撮像カメラ１１が撮像した画像に基づき、指Ｆが載置されて光を受ける載置部１５の色及び皮膚の色を有する部分以外の部分を特定し、この部分を爪Ｎの対象領域と特定する。つまり、画像処理手段１２は、キーイングを用いて、載置部１５の色及び皮膚の色を有する領域を抜き出して、残りの領域を爪Ｎの対象領域として特定する。
【００３３】
画像表示手段１３は、画面上に表示された爪Ｎを指Ｆなどで押圧することにより画面上に表示された画像の位置を指定することができるタッチパネルである。そして、画像表示手段１３は、指Ｆごとに設定される爪Ｎの対象領域を選択可能に表示する選択手段としても機能する。この画像表示手段１３を用いて爪Ｎの対象領域を特定する第３の特定モードを画像処理手段１２は備えている。
【００３４】
導光手段４は、発光部２から発光され散乱して照射される光の向きを揃える光学系１６と、光学系１６を透過した光を反射して後段のデバイスに誘導するミラー１７と、爪Ｎに向けて反射する光を選択するデジタルミラーデバイス（以下、「ＤＭＤ」と省略する）１８と、ＤＭＤ１８で反射して爪Ｎに向かう光を爪Ｎに向けて屈折させて発散または集束させるレンズ１９と、レンズ１９を通過した光を透過させる光透過性の保護パネル２０と、ＤＭＤ１８に反射して爪Ｎに向かわない光を吸収する光吸収部材２１とを備える。
【００３５】
光学系１６は、入射した光をＤＭＤ１８のマイクロミラーのそれぞれに均一の明るさとなるように制御するとともに、同一角度に揃うように制御する。光学系１６は、具体的には、フレネルレンズ、ロッドレンズ、フライアイレンズなどを組み合わせて構成される。なお、光学系１６は、ＤＭＤ１８による光の導光に有効に寄与するように設けられており、その爪Ｎに照射する光量は、ＤＭＤ１８と協働して調整される。
【００３６】
ＤＭＤ１８は、複数のマイクロミラーを格子状に配置されて構成されるＤＭＤ本体２２と、光を爪Ｎに向けて通過させる通過（ＯＮ）状態と光が爪Ｎに向かうのを遮断する遮断（ＯＦＦ）状態とをマイクロミラーの反射角度で制御するＤＭＤ制御手段２３とを備える。
【００３７】
ＤＭＤ制御手段２３は、対象領域特定手段３から入力される爪Ｎの対象領域に関する信号（本発明の「対象領域の情報」に相当）に基づいて爪Ｎに反射する光を選択する。ＤＭＤ制御手段２３は、これらの複数のマイクロミラーの向きをそれぞれ独立して変えることで、反射方向を照射領域ごとに制御する。各マイクロミラーの制御方法は、複数あるマイクロミラーごとに行われる。１つのマイクロミラーは、ＯＮとＯＦＦの２値でその反射角度を切り替える。マイクロミラーは、ＯＮのとき、光が対象領域に向かう第１の方向Ａに反射される反射角度に設定され、ＯＦＦのとき、光が対象領域に向かわない第２の方向Ｂに反射される反射角度に設定される。ＤＭＤ１８を構成するマイクロミラーが取り得る傾斜角度は、約−１０度と約＋１０度である。画像処理手段１２は、撮像カメラ１１が撮像した画像を、ＤＭＤ１８における１又は１群のマイクロミラーに対応した単位で分割し、各単位の情報に基づき、爪Ｎの対象領域に該当するか否かを判別し、対象領域を特定する。そのため、ＤＭＤ１８は、１又は１群のマイクロミラーに対応した単位ごとに傾斜角度を制御して、対象領域に光を反射する。
【００３８】
レンズ１９は、撮像カメラ１１が特定した照射領域にするために、入射した光を発散または集束するように制御する。
【００３９】
保護パネル２０は、筐体７の内部と外部とを区画して、ごみや埃などが筐体７の内部に侵入しないように保護する。保護パネル２０は、筐体７に挿入された使用者の爪Ｎと対向する位置に設けられる。
【００４０】
光吸収部材２１は、ＤＭＤ１８に反射して第２の方向Ｂに向かう光を吸収して、第１の方向Ａに向かう光の光路上に回り込まないようにするために設けられている。
【００４１】
なお、ミラー１７とＤＭＤ１８と光吸収部材２１との位置関係は、図４（ａ）及び（ｂ）に示すとおり、平面上、発光部２からミラー１７に入射する光の進行方向に対して斜め方向に一直線状に並ぶように配置される。ＤＭＤ１８は、ミラー１７から入射される光を、レンズ１９がある第１の方向Ａと、光吸収部材２１がある第２の方向Ｂとに傾斜角度を切り換えて反射できるように配置されている。そのため、発光部２からミラー１７に入射する光は、ミラー１７とＤＭＤ１８と光吸収部材２１とで捻られるような光路をとる。
【００４２】
発光制御部５は、照射光における波長領域の光の総照射エネルギ、１秒当たりの発光回数、発光１回当たりの波長領域の光の照射エネルギ、及び、照射時間の少なくとも１つを設定可能である。発光制御部５には、これらの値が各光硬化樹脂の種類や厚さに合わせて予め決められた照射モードが設定されている。
【００４３】
操作部６は、電源をＯＮ・ＯＦＦする電源スイッチ（図示せず）と、照射モードを選択可能な照射モード選択スイッチ（図示せず）と、光の照射を開始するスタートスイッチ（図示せず）と、各種情報などが表示される表示部（図示せず）とを備える。
【００４４】
筐体７は、発光部２、対象領域特定手段３、導光手段４、発光制御部５を内部に収納する筐体本体２４と、爪Ｎに光を照射するために指Ｆを挿入可能な照射室２５とを備える。照射室２５は、爪Ｎに光硬化樹脂が塗布された指Ｆを挿入可能な空間を有し、発光部２が発光した光を照射可能な位置に指Ｆを載置する載置部１５を備える。
【００４５】
次に、同実施形態に係る樹脂硬化装置１の動作について、図１を参酌しつつ説明する。まず、爪に光硬化樹脂（ジェル）を塗布する。ここで用いられるジェルには、モノマー・オリゴマー・光重合開始剤や色素などが含有されている。そして、樹脂硬化装置１の電源をＯＮして、操作部６で照射モードを選択する。
【００４６】
照射モードの選択が完了すると、指Ｆを照射室２５内に挿入する。そして、指Ｆが載置部１５に載置されて、爪Ｎが光を照射する位置に位置すると、対象領域特定手段３は、爪Ｎの対象領域の特定を開始する。つまり、画像撮像用光源１４が指Ｆに光を照射し、撮像カメラ１１でその指Ｆを撮影する。画像処理手段１２は、撮像カメラ１１で撮影した画像に基づき爪Ｎの対象領域を特定する。なお、最初は、複数ある特定モードのうち第１の特定モードで特定し、爪Ｎの対象領域が特定できなければ、第２の特定モードに移行する。この第２の特定モードでも爪Ｎの対象領域が特定できなければ、第３の特定モードに移行する。
【００４７】
まず、第１の特定モードのとき、画像処理手段１２は、撮像カメラ１１が撮影した画像から爪Ｎの輪郭線を検出する。つまり、画像処理手段１２は、爪Ｎと皮膚との境界を光沢差または色差により特定し、その境界線を爪Ｎの輪郭線とみなす。画像処理手段１２は、この輪郭線を基準に予め記憶された爪Ｎの形状を重ね合わせた領域を爪Ｎの対象領域と特定する。なお、画像処理手段１２は、この爪Ｎの輪郭線をそのまま爪Ｎの対象領域と特定してもよい。また、ジェルネイルが爪Ｎ全体に塗布されていない場合、更に、爪Ｎとジェルネイルとの境界を光沢差または色差により特定し、その境界線を爪Ｎに光を照射する対象領域とみなしてもよい。
【００４８】
また、第２の特定モードのとき、画像処理手段１２は、撮像カメラ１１が撮影した画像をＤＭＤ１８の１または１群のマイクロミラーが照射する照射領域を一単位とする判別領域ごとに、爪Ｎの対象領域に該当するか否かを判別する。そして、その判別領域が載置部１５の色及び皮膚の色を有する領域であれば、爪Ｎの対象領域に該当しないと判別し、判別領域が載置部１５の色及び皮膚の色を有しない領域であれば、爪Ｎの対象領域に該当する判別する。
【００４９】
また、第３の特定モードのとき、画像処理手段１２は、画像表示手段１３の画面上に撮像カメラ１１が撮影した画像を表示させる。そして、使用者は、その画面上に表示された爪Ｎを押圧するなどして画像表示手段１３に対して爪Ｎの位置を指定する。この指定された爪Ｎの位置は、画像表示手段１３から画像処理手段１２に送信され、画像処理手段１２において、爪Ｎの対象領域として特定される。
【００５０】
使用者が操作部６のスタートスイッチ（図示せず）を押すと、光の照射が開始される。発光制御部５は、発光部２のフラッシュランプ８を発光させる。その発光光は、光選択手段１０を透過することにより、ＵＶ−Ｂ及び赤外線領域の光が遮断され、ＵＶ−Ａと可視光領域との光となる。この透過光は、その向きを光学系１６で揃え、ミラー１７でＤＭＤ１８に入射される。ＤＭＤ１８では、ＤＭＤ制御手段２３が画像処理手段１２により特定された爪Ｎにのみ光が照射されるように複数のマイクロミラーを制御する。そのため、ＤＭＤ１８を介さなければ、指Ｆ全体に照射される光が、ＤＭＤ１８により爪Ｎに向かう光のみ選択して第１の方向Ａに反射される。この爪Ｎに向かう第１の方向Ａに反射された光は、レンズ１９を介して保護パネル２０を透過することにより、可視光領域（の一部）の光が遮断された波長領域の光となる。そして、この波長領域の光は、照射室２５内に照射されて、爪Ｎにのみ照射される。
【００５１】
このように、フラッシュランプ８から発光された光は、ＤＭＤ１８によって対象領域特定手段３で特定された爪Ｎの対象領域にのみに導光されるように選択して指Ｆに反射されるため、爪Ｎの対象領域以外の指Ｆに光が照射されることはない。
【００５２】
対象領域特定手段３は、撮像カメラ１１が撮像した画像に含まれる情報に基づき指Ｆにおいて光硬化樹脂が塗布された爪Ｎの対象領域を特定できるようになる。
【００５３】
具体的には、画像処理手段１２は、爪Ｎの生え際Ｎ１及び爪Ｎの側部Ｎ２のいずれか一方の輪郭線を検出することで、爪Ｎの対象領域を特定できるようになる。また、画像処理手段１２は、画像の色相、彩度及び明度から爪Ｎの対象領域を特定できるようになる。しかも、画像処理手段１２は、その爪Ｎの対象領域の特定を、１又は１群のマイクロミラーに対応して分割された単位ごとに爪Ｎの対象領域であるか否かを判別することにより、ＤＭＤ１８は、１又は１群のマイクロミラーごとに反射する光を選択して指Ｆに照射できるようになる。更に、画像処理手段１２は、撮像カメラ１１が撮像した画像から載置部１５及び皮膚の部分を特定し、載置部１５及び皮膚以外の部分を爪Ｎの対象領域として特定できるようにもなる。そして、使用者は、撮像カメラ１１が撮像した画像から爪Ｎの対象領域を容易に指定することができ、画像処理手段１２に爪Ｎの対象領域を特定させることもできる。なお、光を照射している間に爪Ｎの対象領域が移動しても、対象領域特定手段３は、その移動に追随して爪Ｎの対象領域を特定しなおすことができるようなっている。
【００５４】
なお、本発明の樹脂硬化装置は、上記実施形態に限定されるものではなく、本発明の要旨を逸脱しない範囲において様々変更を行うことは勿論である。
【００５５】
また、上記実施形態に係る樹脂硬化装置１は、手の爪Ｎを装飾するために手の指Ｆに光を照射する例を説明したが、これに限定されるものではない。例えば、樹脂硬化装置は、足の爪を装飾するために足の指先に光を照射するように構成されていてもよい。
【００５６】
また、上記実施形態に係る樹脂硬化装置１は、載置部１５に載置する指Ｆを特に限定せずに説明したが、掌における親指の爪と他の指の爪との位置関係が大きく異なることから載置部が同時に親指と他の指とを同時に挿入でき、その爪に照射できる構造であることに限定されず、親指以外の残りの指を挿入でき、又は、親指のみを挿入でき、その爪に照射できる構造であってもよい。
【００５７】
また、上記実施形態に係る樹脂硬化装置１は、ＤＭＤ本体２２のマイクロミラーのみが傾斜し、ＤＭＤ本体２２は傾斜しない例を説明したが、これに限定されるものではない。例えば、図５に示すように、ＤＭＤ２６は、指Ｆの爪Ｎに対向する位置関係となるように、ＤＭＤ本体２７の傾きが傾斜するように回動部２８を備えていてもよい。また、ＤＭＤ２６は、５本の指Ｆに対して１つ設けられることに限定されず、指Ｆごとに１つずつ設けられていてもよい。
【産業上の利用可能性】
【００５８】
本発明に係る樹脂硬化装置は、爪に塗布された光硬化樹脂を硬化させる樹脂硬化装置であって、光源と、爪に塗布された光硬化樹脂の少なくとも一部の領域を対象領域として特定する対象領域特定手段と、光源からの光を選択的に反射するデジタルミラーデバイスであって、対象領域特定手段から入力される対象領域の情報に基づき、光源からの光を対象領域に導光するデジタルミラーデバイスとを備えることによって、光が照射される対象領域を爪に塗布された光硬化樹脂の少なくとも一部の領域のみに特定することが求められる用途に適用することができる。
【符号の説明】
【００５９】
１  樹脂硬化装置
３  対象領域特定手段
４  導光手段
８  フラッシュランプ（光源）
１１  撮像カメラ
１２  画像処理手段
１３  画像表示手段
１４  画像撮像用光源
１６  光学系
１７  ミラー
１８  デジタルミラーデバイス（ＤＭＤ）
１９  レンズ
２２  ＤＭＤ本体
２３  ＤＭＤ制御手段
【図１】
2014008359.tif 000003
【図２】
2014008359.tif 000004
【図３】
2014008359.tif 000005
【図４】
2014008359.tif 000006
【図５】
2014008359.tif 000007